(57)【要約】装置２００の消費電力を調整する方法が提供される。本方法によれば、低電力モードに入るコマンド４００が受信され、コマンド４００を受信したことに応答して、低電力動作モードに入るように装置２００の少なくとも１つの動作モードが調整される。一実施形態では、調整される少なくとも１つの動作モードは、サービス品質の設定、ボコーディング比、バックグラウンド走査を起動させるＢＥＲ閾値、他の通信ネットワークのモニタ周波数、ファンクションキーの定義、ディスプレイの動作モード、ディスプレイの解像度、センサ、ＣＰＵクロック速度、および警告時間のうちの少なくとも１つを含んでいる。
2007511137.tif 000002
【特許請求の範囲】
【請求項１】
装置の消費電力を調整する方法であって、
低電力モードに入るコマンドを受信する工程と、
前記コマンドを受信したことに応答して、低電力動作モードに入るように前記装置の少なくとも１つの動作モードを調整する工程と、
を含む方法。
【請求項２】
前記調整する工程において、前記少なくとも１つの動作モードが、サービス品質の設定、ボコーディング比、バックグラウンド走査を起動させるＢＥＲ閾値、他の通信ネットワークのモニタ周波数、ファンクションキーの定義、ディスプレイの動作モード、ディスプレイの解像度、センサ、ＣＰＵクロック速度、および警告時間のうちの少なくとも１つを含む、請求項１記載の方法。
【請求項３】
前記低電力モードを終了する第２のコマンドを受信する工程と、
前記第２のコマンドを受信したことに応答して、前記低電力動作モードを終了するように前記装置の前記少なくとも１つの動作モードを調整する工程と、
をさらに含む、請求項１記載の方法。
【請求項４】
前記装置が前記低電力動作モードにある間に、前記少なくとも１つの動作モードをユーザが変更しないようにする工程をさらに含む、請求項１記載の方法。
【請求項５】
緊急事態および前記装置が低電力動作モードで動作していることのうちの少なくとも１つを示す少なくとも１つのステータスインジケータを提供する工程をさらに含む、請求項１記載の方法。
【請求項６】
電池のエネルギーレベルをモニタする工程と、
前記エネルギーレベルを閾値と比較する工程と、
前記エネルギーレベルの表示を中央制御装置に送信する工程と、
前記エネルギーレベルの前記表示が送信されたという表示を提供する工程と、をさらに含む、請求項１記載の方法。
【請求項７】
電池のエネルギーレベルをモニタする工程と、
前記エネルギーレベルを閾値と比較する工程と、
前記エネルギーレベルの表示を中央制御装置に送信する工程と、
交換用電池の到着推定時間の表示を提供する工程と、をさらに含む、請求項１記載の方法。
【請求項８】
電子装置であって、
低電力モードに入るコマンドを受信する受信器と、
前記受信器に通信可能に接続されたモードコントローラであって、前記コマンドが前記受信器で受信されたときに、低電力動作モードに入るように前記装置のうちの少なくとも１つの動作モードを調整可能なモードコントローラと、
を備えた電子装置。
【請求項９】
前記少なくとも１つの動作モードが、サービス品質の設定、ボコーディング比、バックグラウンド走査を起動させるＢＥＲ閾値、他の通信ネットワークのモニタ周波数、ファンクションキーの定義、ディスプレイの動作モード、ディスプレイの解像度、センサ、ＣＰＵクロック速度、および警告時間のうちの少なくとも１つを含む、請求項８記載の電子装置。
【請求項１０】
前記受信器は、前記低電力モードを終了する第２のコマンドをさらに受信することができ、前記モードコントローラは、前記第２のコマンドが前記受信器で受信されたときに、前記低電力動作モードを終了するように前記装置の少なくとも１つの動作モードを調整することができる、請求項８記載の電子装置。
【発明の詳細な説明】
【技術分野】
【０００１】
本発明は、一般に無線通信装置の分野に関し、より具体的にはそのような装置のモードの遠隔制御に関する。
【背景技術】
【０００２】
無線機および携帯電話のような双方向通信の音声および／またはデータ装置を含む携帯電子通信装置や、ページング装置のような受信専用の装置が、広く使用されている。これらの装置の用途の中でも、装置は、消防署や救急サービスのような緊急業務の提供者、ならびにその他の治安、保健および保安の提供者をサポートする重要な役割を果たしている。
【０００３】
通常の状況下で十分な動作を可能にする容量を持つ携帯通信装置用には、通常電池が選択される。これにより、ユーザが、通常動作中に普通のやり方で装置の電池容量をモニタし、電池の充電と使用を調節することが可能になる。ユーザは、代表的な動作モードに対する装置の電池寿命を習慣的に熟知しており、その電池寿命に相応した一定間隔で装置の電池を充電する。多くの場合、公共事業または商用環境における動作手順も、通常の状況での予想電池寿命を考慮し、適切な充電計画を規定している。例えば、緊急作業員は、通常各シフトの後に無線機を充電するであろう。
【０００４】
テロリストの攻撃があった後のような緊急事態中、一般に無線や通信ネットワークトラフィック、特に緊急事態を受けて関与する個人が使用する通信装置の使用量は、電池の電流消費を加速するレベルに増加する。これは、緊急事態への対応中に通信している携帯装置の通話時間、パケットデータ、および機能使用のレベルが増加したことによる。装置は、この電流消費の増加により、より短期間で使用不可能になる。この状況を解決する従来方式は、緊急事態に対応している人々に追加の電池を支給することである。
【０００５】
携帯通信装置のユーザは、装置の特性を構成してエネルギーの消費を削減することができる。エネルギー消費を削減するのに変更可能な特性の例として、ユーザの通話中に照明がついたままのメイン表示部、カラーからグレースケールへの表示変更、長いバックライトのタイムアウト、状態表示ＬＥＤ、ファンライト（ｆｕｎ  ｌｉｇｈｔ）、長い警報、多音の呼出し音の除去等の、電池寿命を消費する装置の特定の便利な機能が挙げられる。通常の状況における大半のユーザは、そのような機能が十分な価値を提供し、そのような機能によって引き起こされる電池寿命の低下は当然のこととして理解している。しかしながら、ユーザは、通話時間を増加させるために、緊急事態にこれらの機能を使用することはできない。残念ながら、携帯通信装置の省エネルギー特性のすべてを再構成することは、面倒な場合が多く、ユーザは、電池寿命を最大限にするために修正する必要のある特性のすべて、またはそのほとんどを覚えていないであろう。さらに、ユーザは、緊急事態には、その緊急事態に気を取られているので、装置のエネルギー消費を最小限に抑えるように特性のすべてを調整することだけでなく電話の電池を管理することについても思い出すとは考えられない。
【０００６】
さらに、いくつかの機能は、通常の状況における基本的な動作の機能であると考えられ、最小限のサービス品質を提供すると考えられている。ユーザは、通常これらの機能を修正する能力を備えていないので、より高度なエネルギー節約を行うことができない。
【発明の開示】
【発明が解決しようとする課題】
【０００７】
したがって、携帯通信装置が低電力構成で動作することが望ましいか必要な場合に、そのような動作を確実に行う方法が必要とされる。
【課題を解決するための手段】
【０００８】
本発明の好ましい一実施形態によれば、装置の消費電力を調整する方法が提供される。本方法によれば、低電力モードに入るコマンドが受信される。装置の少なくとも１つの動作モードは、低電力動作モードに入るようにコマンドを受信したことに応答して調整される。
【０００９】
本発明の別の実施形態では、低電力モードに入るコマンドを受信する受信器と、受信器に通信可能に結合されたモードコントローラとを備えた電子装置が提供される。モードコントローラは、受信器でコマンドが受信されたときに低電力動作モードに入るように、装置の少なくとも１つの動作モードを調整する。
【００１０】
添付の図面は、個々の図面全体を通して同様な符号は同一または機能的に同様な要素を指し、以下の詳細な説明と共に本明細書に組み込まれ、またその一部を成すものであるが、様々な実施形態をさらに詳しく例証し、本発明に係る様々な原理および利点すべてを説明する役割を果たしている。
【発明を実施するための最良の形態】
【００１１】
必要に応じて本発明の詳細な実施形態を本明細書に開示するが、開示される実施形態は本発明の代表例に過ぎず、それらは様々な形態で具現化できることが理解されるべきである。したがって、本明細書に示される特定の構造的および機能的な詳細は、制限目的ではなく、単に特許請求の範囲の基礎を成すものとして、また、当業者が実際上あらゆる適切に詳細な構造で本発明を様々に実施するための代表的な基礎として解釈されるべきである。さらに、本明細書に使用される用語および語句は、制限することを意図せず、理解可能な本発明の説明を提供するものである。
【００１２】
本発明は、好ましい一実施形態によれば、緊急事態に携帯通信装置の電池を自動的に制御する方法および装置を提供することにより、従来技術に関する問題を克服する。緊急事態に対応するように求められる公共事業のユーザは、一般にこれらの通信装置を使用するが、そのような携帯通信装置のいずれのユーザも、これらの機能の恩恵を得ることができる。
【００１３】
本発明の代表的な実施形態は、緊急モード状況であることをユーザに通知することを含み、その通知には、拡張省電力モードに入ることを携帯通信装置に表示するコマンドが含まれる。携帯装置は、ユーザから任意の承認を得た後に、そのエネルギー管理挙動を修正して、携帯通信装置の動作に必要のない機能の構成を不能にするか変更することにより、その通常の動作時間を延長する。いくつかの実施形態は、携帯通信装置内の電池充電状態をさらにモニタし、装置の電池の蓄積量が閾値を下回ったときに中央制御装置に通知を送信して、その装置のユーザに新しく充電した電池を発送できるようにする。さらに、いくつかの実施形態は、携帯装置に対する遠隔または局所的な命令をサポートして、その低電力モードを終了してその通常モードに復帰させる。本発明の文脈において、「コマンド」は、命令のセット、または命令のセットに従った動作を表示するメッセージであり得る。例えば、コマンドは、ネットワーク上で受信されたメッセージに含まれてもよいし、またはコマンドは、（例えば、１つまたは２つ以上のボタンを押すことによって）装置のユーザから受信されてもよい。
【００１４】
図１に、本発明の実施形態を組み込んだ代表的な無線通信ネットワーク１００を示している。代表的な無線通信ネットワーク１００は、エリアＡ  １４０、エリアＢ  １６０、
およびエリアＣ  １８０のような多くのサービスエリアを組み込んでいる。この代表的な実施形態における各エリアは、エリアＡ  １４０内にある基地局Ａ  １４２、基地局Ｂ  １４４、および基地局Ｃ  １４６のような無線通信基地局を少なくとも１つ有している。これらの基地局は、この例ではエリアＡ  １４０内にあるものとして示した無線機Ａ  １４８や無線機Ｂ  １５０のような、自身に関連付けられたエリアや有効範囲内にある携帯通信装置と無線通信を行っている。代わりに、エリアは、エリアコード、郵便番号、タイムゾーン、携帯電話用のタワー、ネットワーク識別子によってのような、または地理的座標の範囲によってのような、多くの方法で定義することもできる。
【００１５】
この代表的な実施形態中における各基地局は、中央サーバ１１０と通信を行っている。中央サーバ１１０は、無線ネットワーク１００の動作と基地局の動作とを調整している。中央サーバ１１０は、無線ネットワークを使用している携帯通信装置からのユーザデータおよび音声情報の送信も制御している。代表的な実施形態における中央サーバ１１０は、無線通信ネットワーク１００を使用している携帯通信装置に対する、後述するような再構成コマンドメッセージとして使用される警告メッセージのような、制御および状態メッセージの通信をさらに調整している。サーバ１１０は、警告メッセージの送信に関連するデータを格納する警告記録データベース１１５も保持している。
【００１６】
無線通信ネットワーク１００は、セルブロードキャストと称される指定された携帯通信装置に対して送られるデータメッセージを、定期的に送信するように構成することができる。これらのデータメッセージは、どの１つまたは２つ以上の携帯通信装置がそのデータメッセージを受信して処理するかを指定する受信者識別子を有している。携帯通信装置は、無線通信ネットワーク内で送信されるデータメッセージ内の受信者識別子に対応する１つまたは２つ以上の識別子を持つように構成することができる。携帯通信装置が装置に関連付けられた識別子に対応する受信者識別子を持つデータメッセージを受信すると、メッセージは装置により復号化され、処理される。無線通信ネットワーク１００の中央サーバ１１０は、セルブロードキャストを所定のスケジュールで定期的に送信するように構成することができる。この機能は、後述するような本発明の代表的な実施形態によって使用される。
【００１７】
図２に、本発明の代表的な一実施形態で携帯通信装置として使用される携帯電話２００の正面図を示している。携帯電話２００は、従来の携帯電話に類似した外観を有している。携帯電話２００は、ユーザに対して英数字および図形による情報を提示可能なディスプレイ２０８を備えている。この代表的な実施形態のディスプレイ２０８は、Ｓ１インジケータ２３３、Ｓ２インジケータ２３６、およびＳ３インジケータ２３７という３つのインジケータを備えている。Ｓ１インジケータ２３３は、通信ネットワークを通して携帯電話で受信されたデータにより判断される緊急事態または異常事態があることを示している。Ｓ２インジケータ２３６は、携帯電話のユーザが携帯電話の低電力モードを選択したか否かを表示する。Ｓ３インジケータ２３７は、低い電池エネルギー送信が中央制御装置に送信されて肯定応答が受信されたことを示しており、交換用電池がユーザに配達される推定時間を含むこともできる。
【００１８】
携帯電話２００は、ディスプレイ２０８上に表示されたプロンプトまたは質問にユーザを応答可能にする「ＯＫ」ボタン２１０および「ＣＡＮＣＥＬ」ボタン２１２を含む従来の携帯電話のキーパッド２０２も備えている。これらのボタンは、固定機能を実行する「ハード」ボタンであってもよいし、あるいは異なるときに異なる機能を行う「ソフト」ボタンであってもよい。携帯電話２００は、音声通信をサポートするスピーカー２０４およびマイクロフォン２０６を備えている。
【００１９】
携帯電話２００は、携帯電話が動作する無線ネットワークの基地局との無線接続をサポ
ートする外部ＲＦアンテナ２１６を有している。携帯電話２００は、送信中または無線カバレージ外にあることのような、ある動作モードの表示をユーザに提供する状態表示ＬＥＤ２１８を有している。携帯電話２００は、着信を受けているときや他のイベントに応答しているときに点灯する「ファンライト」２１４をさらに有している。
【００２０】
図３に、本発明の代表的な一実施形態による携帯電話のブロック図を示している。携帯電話３００は、携帯電話およびその中のすべてのデバイスの動作を制御するＣＰＵ３０２を備えている。本発明の実施形態は、携帯電話の要求に従って専門の信号処理を実行する１つまたは２つ以上の専用デジタル信号プロセッサ（ＤＳＰ）を含むＣＰＵ３０２を備えている。代表的な実施形態のＣＰＵ３０２は、携帯電話３００の動作モードを調整するモードコントローラの機能を行う。
【００２１】
代表的な実施形態の携帯電話３００は、アンテナ２１６を介した双方向の音声やデータ通信に使用される送信器３１４および受信器３１２を有している。本発明の代表的な実施形態は、デジタル化された音声情報を通信するので、受信器３１２および送信器３１４によって行われる通信はすべて実質的にデジタル信号である。本発明の実施形態は、アナログ音声変調方式を使用して音声信号を通信することにより動作する。受信器３１２で生成されたデータは、代表的な実施形態におけるＣＰＵ３０２によって処理され、復号化される。ＣＰＵ３０２によるデータの復号化は、本発明の代表的な実施形態における受信器の機能に含まれている。
【００２２】
代表的な実施形態の携帯電話３００は、ＧＰＳ受信器３３６を備えている。ＧＰＵ受信器３３６は、携帯電話の位置を判断するのに使用される。携帯電話の位置は、中央サーバ１１０への現在判断された位置の選択的な送信を含めて、様々な用途に使用される。
【００２３】
携帯電話３００は、不揮発性メモリ３５５を備えている。代表的な実施形態の不揮発性メモリ３５５は、データを確実に保持する電池電源バックアップを有する低電力メモリである。代表的な実施形態の不揮発性メモリ３５５は、緊急事態警告メッセージまたは他のイベントに関連するメッセージを携帯電話に特定して送信できるようにその携帯電話にプログラムされた識別番号またはアドレスであるイベント識別子３６０を備えている。本発明の実施形態は、不揮発性メモリ３５５に１より多いイベント識別子３６０の値を格納することができる。後述するように、装置は、これら複数のイベント識別子３６０の値によって、警告メッセージで指定された１より多い受信者識別子に応答可能になる。代表的な実施形態におけるイベント識別子３６０は、複数の装置が通常同一イベント識別子３６０の値で構成され、これらの装置すべてがその値に対して送られる警告メッセージ４００を処理するといった、グループアドレスとして使用されることが多い。
【００２４】
不揮発性メモリ３５５は、位置データ要素３６２をさらに含んでいる。代表的な実施形態における位置データ要素３６２は、装置の現在位置で定期的に更新される携帯通信装置の位置記述である。代表的な実施形態は、ＧＰＳ受信器３３６によって判断されたデータでこの位置情報を更新する。本発明のいくつかの実施形態は、中央サーバ１１０から代わりの位置データを受信する。この代わりの位置データは、郵便番号、電話の市外局番、タイムゾーン、または他の地理的記述子の形態であり得る。位置要素３６２に格納される代わりの位置データは、携帯通信装置がＧＰＳデータを介してまたは他の何らかの既知の手段を介して通信する通信タワーとの関連付けによって、判断することができる。本発明のいくつかの実施形態は、ＧＰＳ受信器３３６で得た地理的位置情報を中央サーバ１１０に送信し、中央サーバ１１０は、郵便番号、エリアコード、タイムゾーン、地理的エリアを表すネットワーク識別子、または他の記述子のような、携帯電子装置によって使用されるべき位置データを返信する。この代わりの位置情報は、後述するように、装置位置に基づいて携帯電子装置に警告メッセージを送る実施形態で使用される。
【００２５】
不揮発性メモリ３５５は、電池電力低下閾値３６４も格納している。電池電力低下閾値３６４の値は、後述するように、電池３３２がいつ再充電または交換を必要とするかを判断するのに使用される。携帯通信装置２００の動作は、測定された電池のエネルギーレベルを電池電力低下閾値３６４と定期的に比較して、受入れ可能な電池エネルギーレベルを判断し、交換用電池の必要性を中央サーバ１１０に通知する。
【００２６】
不揮発性メモリ３５５は、ＣＰＵ３０２によって実行されるプログラムコードをさらに備えている。不揮発性メモリ３５５は、後述するような、処理を制御して警告応答処理を実行する警告応答プログラムコードモジュール３６６を備えている。不揮発性メモリ３５５は、ＣＰＵ３０２によって実行される処理を制御して従来の携帯電話動作を行う動作プログラムコードモジュール３６８をさらに備えている。
【００２７】
不揮発性メモリ３５５は、携帯電話構成データ３７０を備えている。携帯電話構成データ３７０は、着信通知の構成、例えばリンガーの音量、振動のオン／オフ、ファンライトの起動のような構成データを備えている。携帯電話構成データ３７０は、バックライトのタイムアウトおよびバックライト強度のようなデータをさらに含んでいる。携帯電話構成データ３７０は、後述するような警告メッセージ処理によって修正された構成データを含む携帯電話２００の他の構成データをさらに含んでいる。
【００２８】
携帯電話３００は、揮発性メモリ３２４を備えている。揮発性メモリ３２４は、ＣＰＵ３０２により使用される一時データを格納するのに使用される。揮発性メモリ３２４は、例えばユーザが使用するかユーザに対して表示されるデータを格納することができる。揮発性メモリ３２４は、完全に携帯電話内に配置されることができる。携帯電話は、外部の揮発性メモリ装置を追加して携帯電話が利用可能な揮発性メモリをさらに拡張可能である。
【００２９】
携帯電話３００は、ディスプレイ情報をＣＰＵ３０２から受信して、ディスプレイ２０８を駆動して英数字および図形データをユーザに表示させるグラフィックアクセラレータ３２８を備えている。ディスプレイ２０８は、ディスプレイを照明して、薄暗い周囲環境および真っ暗な周囲環境においても容易に判読可能にするバックライト３２６を有している。
【００３０】
携帯電話３００は、着信、メッセージ、または他のイベントの通知をユーザに提供するバイブレータ３２５およびリンガー３３０を備えている。代表的な実施形態では、ＣＰＵ３０２がバイブレータ３２５およびリンガー３３０を制御する。代表的な実施形態の携帯電話３００は、様々なイベントに応答して点灯および点滅してユーザに通知する「ファンライト」２１４も含んでいる。代表的な実施形態のファンライト２１４は、ＣＰＵ３０２によって制御される。ファンライト２１４およびバイブレータ３２５は、一般に余分な電気エネルギーを消費するので、通常低電力動作モードでは使用不能である。代表的な実施形態のリンガー３３０は、バイブレータ３２５およびファンライト２１４よりも使用エネルギーが少ないため、代表的な実施形態の低電力動作モードでは、リンガー３３０を使用して着信を知らせる。さらに、基本的なリンガー警告は、より大きな電力を消費する多音の呼出し音および他の多音の警告よりも優先される。代表的な実施形態の低電力動作モードは、より短時間のディスプレイバックライトのタイムアウトをさらに含んでいる。スピーカー２０４およびマイクロフォン２０６はそれぞれＣＰＵ３０２によって、制御およびモニタされ、ＣＰＵ３０２は、ＣＰＵ３０２内の回路で実行されるデジタル処理とそれらのアナログ装置とのインターフェースに必要なアナログ／デジタル変換を行う。
【００３１】
本発明の実施形態は、エネルギー消費を削減するために、多くの動作設定のうち少なく
とも１つを調整する。様々な実施形態における動作設定の調整の例には、次のものが含まれるが、これらに限定されるわけではない：
１）許容できるビット誤り率（ＢＥＲ）のようなサービス品質の設定を、受理可能なメッセージの交換をサポートし続ける装置が利用可能な最も高い電力効率に調整すること（例えば、ボコーディング比を標準の３：１ではなく６：１に調整する）
２）近接セルのリスト全体の走査を低減または停止するように、バックグラウンド走査を起動するＢＥＲ閾値を緩和すること（例えば、８０２．１１の標準ネットワークまたは携帯電話ネットワークに対する走査または切換えの閾値を緩和できる）、
３）主要な通信システムを選択し、他の通信ネットワークを切断するまたは他の通信ネットワークがモニタされる頻度を減少させること（例えば、シンプレックスシステムが主要なネットワークとして選択された場合、携帯電話、８０２．１１、およびブルートゥースのネットワークの走査が減少される。主要なネットワークの選択は、トラフィックおよび既知の消費電力に基づいて、中央サーバ１１０により実行することができる。この選択は、グループまたは個人の装置に対しても行うことができる。）、
４）動作が主要な通信モードで継続されるようにファンクションキーを再構成すること（例えば、主要な通信モードとして全二重モードが選択された場合、シンプレックス呼出しを起動する代わりに全二重呼出しをするように、装置のプッシュトゥートーク（ＰＴＴ）ボタンが構成される。）、
５）ユーザが遠隔起動モードの動作を確認するまで「ホームランドセキュリティモード」を提供すること、
６）ユーザの要求に基づいて動作モードを変更すること（例えば、聴覚障害を持った人のための装置はディスプレイを完全に使用不能にはしない）、
７）ディスプレイが選択されたモードで使用される場合、ディスプレイを白黒または低解像度に構成すること、
８）モーションセンサおよび温度センサのような不要なセンサを停止させること、
９）ＣＰＵを構成してより遅いクロックで、および／または所与の動作要件の中で最も低い動作電圧で動作するようにすること、
１０）装置が通常の動作モードに復帰するまでリマインダー警告を遅らせること。
【００３２】
携帯電話３００は、携帯電話２００の回路に電力を供給する電池３３２を備えている。代表的な実施形態の携帯電話３００は、電池３３２のエネルギーレベルが電池電力低下閾値３６４で定義された事前にプログラムされているレベルを下回ったときに、それを判断する電池モニタである電池電力低下センサ３２０をさらに含んでいる。
【００３３】
図４に、本発明の代表的な実施形態によって使用される警告メッセージ４００のデータ図を示している。警告メッセージ４００は、代表的な実施形態の無線通信ネットワーク１００により定期的に送信されるデータメッセージである。代表的な実施形態は、予め定義されたスケジュールでセルブロードキャストメッセージを送信するように構成され、携帯通信装置も同様に構成されており、この予め定義されたスケジュールに従ってセルブロードキャストをモニタする。
【００３４】
警告メッセージ４００は、低電力モードに入るコマンドを伝達するものであり、ＡＬＥＲＴ＿ＩＤ４１０、ＭＳＮ４１５、ＥＯＡ４２０、ＡＬＥＲＴ＿ＩＮＦＯＲＭＡＴＩＯＮ４２５のような識別されたフィールドを含んでいる。この代表的な実施形態におけるＡＬＥＲＴ＿ＩＤ４１０は、所与のセル内で生じるセルブロードキャスト部の受信者識別子である。この実施形態における携帯通信装置２００は、選択された携帯通信装置２００への警告メッセージ４００の送信に使用される１つまたは２つ以上のイベント識別子３６０の値でプログラムされている。代表的な実施形態の携帯電話２００のような携帯通信装置は、警告メッセージ４００をモニタしており、該装置は、ＡＬＥＲＴ＿ＩＤ４１０が装置にプログラムされた少なくとも１つのイベント識別子３６０の値と一致した場合には、後述
するように応答する。イベント識別子３６０と一致したＡＬＥＲＴ＿ＩＤ４１０がセルブロードキャスト内で復号化されると、装置は、一般的に動作の拡張低電力モードに入る。
【００３５】
携帯無線装置内に構成されたイベント識別子３６０を一致させるＡＬＥＲＴ＿ＩＤ情報４１０をブロードキャストする代わりとして、ＡＬＥＲＴ＿ＩＤフィールドは、携帯通信装置２００が警告通知メッセージ４００に応答するゾーンを定義する位置情報を含むことができる。この代替例では、ＡＬＥＲＴ＿ＩＤ４１０は、ネットワーク識別子、タワー識別子、郵便番号、エリアコード、タイムゾーン、または装置位置３６２が比較される地理的座標範囲のようなゾーン記述子を備えている。いくつかの実施形態は、これら２つのアドレッシングモードを区別するフラグを警告ＩＤ４１０内に含んでいる。
【００３６】
警告通知メッセージ４００は、警告通知メッセージ４００を識別するメッセージシーケンス番号（Message Sequence Number, ＭＳＮ）４１５を備えている。代表的な実施形態
における警告通知メッセージ４００は、メッセージを一時的に受信できない携帯通信装置２００がその受信を確認するために、予め定義されたスケジュールに従って定期的に再送信される。新しい警告情報が送信されない場合には、以前のメッセージが同じＭＳＮ４１５で再送信される。新しい情報を持つ警告メッセージ４００が送信される場合、以前に使用されたＭＳＮ４１５の値と異なるＭＳＮ４１５が割当てられる。代表的な実施形態では、ＭＳＮ４１５は、０から３をカウントするのに使用される２ビットで構成されている。警告通知メッセージ４００を受信する携帯通信装置２００は、ＭＳＮ値４１５が以前に処理された警告通知メッセージから変更されている場合、後述するＡＬＥＲＴ＿ＩＮＦＯＲＭＡＴＩＯＮフィールド４２５を含む警告通知メッセージの残りの部分の復号化を継続する。ＭＳＮ値４１５は、メッセージの先頭近く、すなわちＡＬＥＲＴ＿ＩＤ４１０の直後に位置し、携帯装置が継続的な処理が必要か否かを特定可能にしている。ＭＳＮ値４１５が最後に復号化した警告通知メッセージ４００から変更されていない場合、受信器３１２の電力供給を含む受信データの処理は、エネルギーを節約するために、ＭＳＮ４１５を復号化した直後に停止する。
【００３７】
代表的な実施形態の警告通知メッセージ４００は、警告終了（End Of Alert, ＥＯＡ）フラグ４２０も含んでいる。代表的な実施形態のＥＯＡフラグは、ＴＲＵＥまたはＦＡＬＳＥの値を割当てられる。ＴＲＵＥの値は、以前の警告メッセージ４００によって携帯通信装置２００に通知された警告ステータスが終了し、携帯通信装置２００が通常動作に復帰できることを示している。ＦＡＬＳＥの値は、警告ステータスが継続しており、携帯通信装置２００が低電力動作モードを維持することを示している。
【００３８】
ＡＬＥＲＴ＿ＩＮＦＯＲＭＡＴＩＯＮフィールド４２５は、送信される情報により任意の数のバイトを備えている。代表的な実施形態では、警告メッセージ４００は、無線通信ネットワーク１００を通じて送信されるので、動作しているすべての携帯装置は、情報を一度に復号化し、受信することができる。ＡＬＥＲＴ＿ＩＮＦＯＲＭＡＴＩＯＮフィールド４２５は、メッセージ長を示すために、いくつのオクテットがこのメッセージ内に含まれているかに関する表示を含む可変長のテキストメッセージを含むことができる。本発明の実施形態は、代わりに、最小の情報量を含むと共に装置が取得できる追加情報を含んだ位置を示すユニフォームリソースロケーター（ＵＲＬ）も含むことができる標準の長さのメッセージを送信する。ＵＲＬは、ユーザフレンドリーな記述ストリングだけでなく、英数字の最小セットからなるショートコードを含むことができる。
【００３９】
図５に、本発明の実施形態で使用されるＵＲＬ警告メッセージ５００のデータ図を示している。ＵＲＬ警告メッセージ５００は、警告メッセージ４００の警告情報フィールド４２５に含まれている。ＵＲＬ警告メッセージ５００は、例えば「汚い爆弾（dirty bomb）の爆発−救急隊員は全員応答せよ」を表す英数字のＡＳＣＩＩストリング等、それを読む
人が理解可能なフォーマットで送信される記述フィールド５１５を含んでいる。この情報は、後述するように、さらなる情報がＵＲＬ５３５で入手できるので、通常簡潔である。
【００４０】
ＵＲＬ警告メッセージ５００は、出来事の位置の地理的詳細を提供する位置フィールド５２０も含んでいる。位置フィールド５２０は、爆弾の爆発場所の１つの地理的な点座標を含むことができ、または位置フィールド５２０は、例えばハリケーンや竜巻等の気象事象に関連する警告のために、１つまたは２つ以上の郡、エリアコード、タワー識別子、ネットワーク識別子、および／または郵便番号を含むことができる。
【００４１】
ＵＲＬ警告メッセージ５００は、応答するように特定されたユニット５２５のリストも含んでいる。応答するように特定されたユニット５２５のリストは、可能なコンタクト情報と共に警告に応答すべきユニットまたは要員を列挙している。応答するように特定されたユニット５２５に含まれるデータの一例は、「消防ユニット２１３および３４５、警察ユニット７８９および５３８（１２３）−５５５−１２１２、医療ユニット２３および７０３」を含む英数字のＡＳＣＩＩデータストリングである。
【００４２】
ＵＲＬ警告メッセージ５００は、応答するユニットのステータス５３０をさらに含んでいる。応答するユニットのステータス５３０は、例えば、「医療ユニット２３出動中、医療ユニット７０３到着済、消防ユニット２１３延着、消防ユニット３４５出動中−約５分で現場到着、警察ユニット７８９および５３８到着済」を含む英数字のＡＳＣＩＩストリング等、各ユニットの現在のステータスと共に、応答したユニットを列挙する。
【００４３】
ＵＲＬ警告メッセージ５００は、ＵＲＬの詳細５３５も含んでいる。ＵＲＬの詳細５３５は、携帯通信装置２００が警告メッセージ４００の主題である警告に関するさらなる情報を取得できる先であるユニバーサルリソースロケーター（ＵＲＬ）の詳細を含んでいる。本発明の好ましい実施形態は、ＵＲＬの詳細５３５および他の最小限の情報のみを有するメッセージを送信するので、警告に関してさらに知りたいと所望するユーザは、ＵＲＬの詳細５３５で指定されているＵＲＬにアクセスすることにより、さらなる情報を取得して表示させることができる。
【００４４】
図６に、本発明の代表的な実施形態で使用されるユーザ起動の拡張動作モードに入る処理６００のフローチャートを示している。本発明の代表的な実施形態によって、ユーザが携帯電子装置の動作モードの、拡張動作モードすなわち低電力モードへの変更を開始することが可能になる。例えば、ユーザが拡張電力モードを必要とする異常事態または緊急事態にある場合、ユーザはこの処理を行う。特定の例として、ユーザは遠海に運ばれてしまった海洋のカヤック上にいて、逆方向の海流のために海岸へ戻ることができない場合がある。この代表的な事例では、ユーザは、工程６１０で拡張電力モードを起動する。装置は、工程６１５で、装置に格納されているプロファイルのリストでユーザに要求する。これらのプロファイルは、ユーザによる事前の構成により、工場でインストールすることにより、またはエアプログラミングを通じて予め受信することにより、装置に格納されている。ユーザは、工程６２０で、最適なプロファイルを選択する。この例では、ユーザは、最優先拡張電力プロファイルを選択する。この例における最優先拡張電力プロファイルは、「緊急プロファイル」として定義されるので、最大限の電力節約になる。次に、処理は、工程６２５でユーザが緊急プロファイルを選択したか否かを判断する。処理は、ユーザが緊急プロファイルを選択したと判断した場合、工程６３０で、中央サーバ１１５または他の位置に、ユーザ識別子、コンタクト情報、および携帯装置の現在の位置を含む通知を送信する。一旦緊急通知の送信が完了すると、またはユーザが別の低電力非緊急プロファイルを選択すると、携帯処理装置は次に、工程６３５で、選択された拡張電力モードプロファイルを実行する。
【００４５】
図７に、本発明の代表的な実施形態で使用されるシステム起動の拡張動作モードに入る処理７００のフローチャートを示している。システム起動の拡張動作モード７００は、例えば異常事態または緊急事態に応答して、携帯装置を拡張省電力モードに移行させるシステム起動の方法を提供する。
【００４６】
システム起動の拡張動作モード７００に入る処理は、工程７０５で、警告メッセージ４００を携帯通信装置２００で受信することにより開始される。処理は、工程７１０で、受信した警告メッセージ４００に含まれるブロードキャストＡＬＥＲＴ＿ＩＤフィールド４１０の復号化を継続する。次に、処理は、工程７１５で、ブロードキャスト情報を復号化すべきか否かを判断する。例えば、ＡＬＥＲＴ＿ＩＤフィールド４１０の値が、携帯電子装置にプログラムされたイベント識別子３６０と一致する場合、ブロードキャストは復号化されるべきである。ＡＬＥＲＴ＿ＩＤフィールド４１０の地理的な位置の記述子を送信する実施形態は、携帯通信装置２００の地理的な位置を判断し、この現在の位置を、ＡＬＥＲＴ＿ＩＤフィールド４１０に含まれていた地理的な位置の記述子と比較する。メッセージを復号化すべきか否かを判断するさらなる処理は、ＭＳＮフィールド４１５が前に復号化された警告メッセージ４００とは異なるシーケンス番号を含むか否かを判断することを含んでいる。メッセージを復号化する条件に対する一致がないと判断された場合、このメッセージの処理は終了する。本発明の代表的な実施形態で使用されるセルブロードキャストの予め定義された送信スケジュールにより次の警告メッセージが予期される場合、警告メッセージの処理は再開される。
【００４７】
警告メッセージ４００を復号化する条件に対する一致があると判断された場合、処理は、工程７２５で、警告メッセージ４００を復号化することにより、データフラグＥＯＡ４２０のデータとＡＬＥＲＴ＿ＩＮＦＯＲＭＡＴＩＯＮ４２５のデータの値の判断を継続する。次に、処理は、工程７３０で、ＡＬＥＲＴ＿ＩＮＦＯＲＭＡＴＩＯＮ４２５フィールドに含まれるデータを含む警告通知の表示をユーザに知らせる。ステータスインジケータＳ１  ２３３がディスプレイ上で更新され、緊急事態が存在することをユーザに示す。次に、処理は、工程７３５で、携帯通信装置２００が設定されるべき拡張電力モードのレベルを指定するようユーザに要求する。次に、ユーザは、拡張電力モードの所望のプロファイルレベルを選択する。
【００４８】
次に、処理は、工程７４０で、電力を節約する動作モードである拡張電力モードに入ることをユーザが選択したか否かを判断する。ユーザが拡張電力モードを選択した場合には、処理は、工程７４５で選択された電力プロファイルを実行し、工程７４６で状態インジケータＳ２  ２３６が更新され、装置が拡張電力動作モードにあることをユーザに示す。
【００４９】
本発明のある実施形態は、プロファイルの選択をユーザに与えず、単に、装置を予め定義された低電力状態に設定する。別の実施形態は、１つの低電力プロファイルのみを有し、単に、この低電力状態に入るか否かをユーザに要求する。
【００５０】
次に、処理は、工程７４７で、代表的な実施形態で使用される予め定義された送信スケジュールに従って、セルブロードキャストチャンネル上で警告メッセージ４００を適時にモニタすることに続く。次に、処理は、工程７５０で、この新たに受信された警告メッセージ４００にステータスの変更が示されているか否かを判断する。代表的な実施形態におけるステータスの変更の判断は、ＭＳＮフィールド４１５またはＥＯＡフィールド４２０の１つまたは２つ以上のコンテンツの変更により判断される。本発明のいくつかの実施形態は、警告メッセージ４００の他のデータを使用して、警告または通知のステータスの変更があったか否かを判断する。次に、処理は、工程７５５で、警告または通知のステータスの変更があったか否かを判断する。警告または通知のステータスの変更が行われたことが判断されない場合、処理は、工程７４７で、次の警告メッセージのモニタに戻る。通知
のステータスの変更があったと判断された場合、次に、処理は、工程７６０で、警告メッセージ４００の警告終了（ＥＯＡ）フィールド４２０が、警告を終了したことを示しているか否かを判断する。警告が終了したと判断された場合、処理は、拡張動作モードを終了して、工程７７０で、通常の動作モードに復帰する。このメッセージに対する処理は、通常の動作モードに復帰した後終了し、ステータスインジケータＳ１  ２３３およびＳ２  ２３６は、緊急イベントまたは異常イベントが存在すること、あるいは装置が低電力動作モードにあることをもはや示さない。警告の終了が示されていないと判断された場合、例えば、警告の変更がＭＳＮ４１５の変更によって示されるステータスの変更によるものである場合、この警告メッセージ４００に関連する情報は、工程７６５でユーザに表示される。次に、処理は、工程７４７で、次の適切なときにモニタリングを行い、警告の通知を復号化する工程に戻る。
【００５１】
図８に、本発明の代表的な実施形態で実行される装置アドレス比較処理のフローチャート８００を示している。装置アドレス比較処理は、システム起動の拡張動作モードに入る処理７００の一部である、ブロードキャスト情報を復号化すべきか否かを判断する処理工程７１５を実行する。
【００５２】
代表的な実施形態の携帯通信装置２００は、通常セルブロードキャストを復号化し、一旦ＡＬＥＲＴ＿ＩＤ４１０の値とイベント識別子３６０のような装置に割当てられた識別子との一致が見出されると、警告メッセージの情報を復号化する。本発明の実施形態によって、１より多いイベント識別子３６０を装置に割当て、不揮発性メモリ３５５に格納することが可能になる。これにより、単一の携帯通信装置２００は、ＡＬＥＲＴ＿ＩＤフィールド４１０に異なる値を有する警告メッセージ４００に応答することが可能になり、その結果、携帯通信装置２００は、異なる群に向けられた警告メッセージに応答して、拡張省電力モードに設定可能になる。
【００５３】
装置アドレス比較処理は、抽出されたＡＬＥＲＴ＿ＩＤの値４１０を、工程８１０で、その携帯通信装置２００に関連するイベント識別子３６０のすべてと比較する。この比較結果は、システム起動の拡張動作モードに入る処理７００に戻され、装置アドレス比較処理フローの処理８００が終了する。
【００５４】
図９に、本発明の１つの代替実施形態で実行される装置位置比較処理のフローチャート９００を示している。装置位置比較処理のフローチャート９００は、警告メッセージを携帯通信装置２００に送る代替手段を提供する。この代替実施形態では、装置アドレス比較処理は、システム起動の拡張動作モードに入る処理７００の一部である、ブロードキャスト情報を復号化すべきか否かを判断する処理工程７１５を実行する。
【００５５】
装置位置比較処理フロー９００は、ＧＰＳ受信器３３６を利用して携帯通信装置の位置を工程９１０で決定することにより開始される。本発明のこの実施形態は、ＧＰＳ受信器３３６で生成された緯度および経度情報を、不揮発性メモリ３５５の位置要素３６２に格納する。決定された緯度および経度は、内部メモリ３５５の位置要素３６２に格納されるべき位置情報を、サーバ１１０のような遠隔サイトに問い合わせるのに使用される。この別の位置情報は、ＧＰＳ受信器３３６で生成される緯度および経度に加えて、あるいはその代わりに格納することができる。位置情報は、エリアコード、郵便番号、装置が通信しているセルタワーのタワー識別子、装置が通信しているネットワークのネットワーク識別子、またはタイムゾーンの１つであり得ることが理解されよう。遠隔サイトに問い合わせる代わりとして、タワー識別、ネットワーク識別子、エリアコード、郵便番号、またはタイムゾーンを、セルブロードキャストにおける情報ストリームのさらなる別の部分の一部として、放送で送信することができる。このセルブロードキャストは、無線通信ネットワーク１１０を介して通信しているすべての装置に送信され、これらの受信側装置のすべて
に対して、内部メモリ３５５の位置要素３６２に格納されるべき位置情報を示している。このような実施形態は、１つまたは２つ以上の位置要素３６２を内部メモリ３５５に格納し、任意の位置要素３６２とＡＬＥＲＴ＿ＩＤ４１０で指定された位置との間の一致が、結果的に一致した場合には、関連する警告メッセージ４００を復号化すべきであることを示している。
【００５６】
次に、処理は、工程９２０で、不揮発性メモリ３５５に格納されたすべての位置要素３６２のデータを、セルブロードキャストで復号化されたＡＬＥＲＴ＿ＩＤ４１０と比較することに進む。この比較の結果は、システム起動の拡張動作モードに入る処理７００に戻され、装置位置比較処理フローの処理９００は終了する。本発明の特徴を、代表的な通信システムおよび装置に関して上に説明したが、本発明は、上述のシステムおよび装置に限定されることなく、他の好適なシステムまたは装置で実行することができる。
【００５７】
図１０に、本発明の代表的な実施形態で実行される電池ステータス報告処理のフローチャート１０００を示している。電池ステータス報告処理１０００は、拡張省電力モードで動作しているときに、本発明の代表的な実施形態により定期的に実行され、携帯通信装置２００の電池充電レベルをサーバ１１０のような中央制御位置に通知する。電池ステータス処理１０００の動作は、電池が低エネルギーレベルになった携帯通信装置２００を持つユーザに、交換用電池を発送することを容易にする。
【００５８】
電池ステータス報告処理フロー１０００は、工程１０１０で、電池３３２のエネルギーレベルを測定することにより開始される。代表的な実施形態は、出力電圧を測定して、該出力電圧を携帯通信装置２００で使用されている電池の種類の充電レベル特性と比較するといった従来の手段を使用して電池のエネルギーレベルを測定する。本発明の好ましい実施形態は、時間当たりの電力消費の割合に基づいて、携帯通信装置２００で現在実行しているあらゆるソフトウェアアプリケーションを考慮して、電池３３２の使用可能な使用時間の残量を推定する。これは、電池３３２のエネルギーレベルの現在のスナップショットを提供する。
【００５９】
電池ステータス報告処理フロー１０００は、工程１０１５で、測定された電池エネルギー、および測定がなされた時間を記録することに続く。次に、処理は、工程１０２０で、測定された電池３３２のエネルギーレベルと不揮発性メモリ３５５に格納された電池電力低下閾値３６４とを比較することに進む。この比較は、実行および／または計算されたエネルギー測定の種類に依存する。例えば、閾値は、閾点として、推定された使用可能時間の残量、例えば１時間の使用が残っている等に基づいた比較を使用することができる。別の例は、エネルギーレベルを閾値と直接比較し、例えば、総容量の残り３分の１が閾値として使用される。
【００６０】
次に、処理は、工程１０２５で、閾値がトリガされたか否かを判断する。閾値がトリガされていないと判断された場合、これを反復する処理は停止する。閾値がトリガされたと判断された場合、処理は、工程１０３０で、携帯通信装置２００の現在の位置を判断することに続く。代表的な実施形態は、ＧＰＳ受信器３３６を使用して現在の位置を判断する。次に、処理は、工程１０３５で、新しい電池の要求を送信することに続く。肯定応答がサーバ１１０から受信された場合、ステータスＳ３インジケータ２３７が更新される。本発明のいくつかの実施形態は、追加の電池を配達する推定時間の表示を肯定応答に含んでいる。代表的な実施形態は、サーバ１１０のような中央制御装置にこの要求を送信する。この情報は、電池３３２が消耗されている場合に、中央制御装置が交換用電池を携帯通信装置２００のユーザに発送するのを助ける。
【００６１】
低い電池閾値レベルの高めの調整を使用することにより、結果的に新しい電池の要求を
早期に送信できることが理解されよう。これにより、交換用電池の配達により長い時間を提供することができる。
【００６２】
携帯電話のような従来の携帯通信装置は、その電池レベルを定期的にモニタして、装置が通常の動作範囲内で動作していることを確認している。通常の動作範囲は、例えば、受信回路に印加される電圧が一定の閾値を下回る場合に、送信および受信周波数がドリフトするという事実より影響を受ける。携帯装置は、通常動作の閾値がより高い電池エネルギーレベルでトリガされるように構成されている場合、低い電池閾値と、通常動作閾値と称される第２の閾値とでプログラムされることがある。受信器の回路がＲＦ回路の周波数ドリフトを所望のレベル内に維持する電圧レベルで確実に電力供給されるように、通常動作の閾値は、任意の動作に絶対的に必要なレベルよりも高い電池エネルギーレベルでトリガされる。通常動作中、一旦通常動作の閾値がトリガされると、電話器は動作を停止する。しかしながら、低電力動作モードでは、本発明の好ましい実施形態は、通常動作の閾値に応答せず、電池が完全に使い尽くされるまで送信および受信を継続するように構成されている。これらの例では、低い電池閾値は、交換用電池の要求の送信をトリガするためだけに使用される。したがって、これらの緊急事態中の拡張動作が可能になる。
【００６３】
本発明のいくつかの実施形態は、遠隔起動の低電力モードのために構成されたエネルギー節約動作構成を、ユーザが使用不能にしないように、携帯電話を構成することをサポートしている。この構成は、低電力モードを起動するメッセージの中で受信された１つまたは２つ以上のパラメータによりトリガすることができる、すなわち、この構成は、装置にプログラムすることができる。
【００６４】
数詞が限定されていない用語は、本明細書で使用される場合には、１つまたは１つより多いと定義される。複数という用語は、本明細書で使用される場合には、２つのまたは２つよりも多いと定義される。別のという用語は、本明細書で使用される場合には、少なくとも第２のまたはそれ以上と定義される。備えている（含んでいる）および／または有するという用語は、本明細書で使用される場合、包含する（すなわち、非限定的な語）と定義される。
【００６５】
本発明は、ハードウェア、ソフトウェア、またはハードウェアとソフトウェアの組み合わせで実現することができる。本発明の代表的な一実施形態によるシステムは、１つのコンピュータシステムに集中された形態で、または異なる要素がいくつかの相互接続されたコンピュータシステムに広がった分散形態で、実現することができる。あらゆる種類のコンピュータシステム、または本明細書に記載の方法を実行するのに適合した他の装置が好適である。ハードウェアとソフトウェアの典型的な組み合わせは、コンピュータプログラムがロードされ実行されるときに、コンピュータシステムが本明細書に記載の方法を実行するようにコンピュータシステムを制御するコンピュータプログラムを有する汎用コンピュータシステムであろう。
【００６６】
本発明は、本明細書に記載の方法の実現を可能にするすべての機能を有するとともに、コンピュータシステムにロードされたときにこれらの方法を実行可能なコンピュータプログラム製品に組み込むこともできる。本発明の文脈におけるコンピュータプログラム手段およびコンピュータプログラムは、直接、または、ａ）別の言語、コード、または表記法への変換、ｂ）異なる材料形態での再生のいずれかまたは両方を行った後に、情報処理能力を有するシステムに特定の機能を実行させるように意図された任意の言語、コード、または表記法による命令セットの任意の記述を意味している。
【００６７】
各コンピュータシステムは、特に、１つまたは２つ以上のコンピュータと、コンピュータがデータ、命令、メッセージまたはメッセージパケット、および他のコンピュータ可読
情報をコンピュータ可読媒体から読取ることを可能にする少なくとも１つのコンピュータ可読媒体と、を含んでもよい。コンピュータ可読媒体は、ＲＯＭ、フラッシュメモリ、ディスクドライブメモリ、ＣＤ−ＲＯＭ、および他の永久記憶装置などの不揮発性メモリを含んでいてもよい。また、コンピュータ媒体は、例えば、ＲＡＭ、バッファ、キャッシュメモリ、およびネットワーク回路などの、揮発性記憶装置を含んでいてもよい。さらに、コンピュータ可読媒体は、コンピュータがそのようなコンピュータ読取り可能な情報を読取ることを可能にする、有線ネットワークまたは無線ネットワークを含んだネットワークリンクおよび／またはネットワークインタフェースなどの一時的な状態の媒体に、コンピュータ読取り可能な情報を含んでいてもよい。
【００６８】
本発明の特定の実施形態を開示してきたが、当業者であれば、本発明の精神および趣旨から逸脱することなく、特定の実施形態に対して変更を行うことができることを理解するであろう。したがって、本発明の範囲は特定の実施形態に限定されるべきではなく、また、添付の特許請求の範囲は、本発明の範囲内にあるありとあらゆるそのような応用例、修正例、および実施形態を含むものとする。
【図面の簡単な説明】
【００６９】
【図１】本発明の実施形態を組み込んだ代表的な無線通信ネットワーク。
【図２】本発明の好ましい一実施形態による携帯電話の正面図。
【図３】本発明の好ましい一実施形態による、図２に示した携帯電話に関するブロック図。
【図４】本発明の好ましい一実施形態による警告メッセージのデータ図。
【図５】本発明の好ましい一実施形態による、図４に示した警告メッセージに含まれるＵＲＬ警告メッセージのデータ図。
【図６】本発明の好ましい一実施形態よる、ユーザ起動の拡張動作モードに入る処理のフローチャート。
【図７】本発明の好ましい一実施形態による、システム起動の拡張動作モードに入る処理のフローチャート。
【図８】本発明の好ましい一実施形態による、図７に示した処理フローで実行される装置アドレス比較処理のフローチャート。
【図９】本発明の好ましい一実施形態による、図７に示した処理フローで実行される装置位置比較処理のフローチャート。
【図１０】本発明の好ましい一実施形態による、電池ステータス報告処理のフローチャート。
【図１】
2007511137.tif 000003
【図２】
2007511137.tif 000004
【図３】
2007511137.tif 000005
【図４】
2007511137.tif 000006
【図５】
2007511137.tif 000007
【図６】
2007511137.tif 000008
【図７】
2007511137.tif 000009
【図８】
2007511137.tif 000010
【図９】
2007511137.tif 000011
【図１０】
2007511137.tif 000012
【国際調査報告】
2007511137.tif 000013
2007511137.tif 000014